(57)【要約】【課題】線状体に対する取り付け作業、取り外し作業を全て同一方向から実施でき、振動による脱落を防止する構造を備えた掴線器を提供する。【解決手段】固定側掴線部５２を線状体Ｗ上に載せ、連結部材５７に引っ張り手段からの引っ張り方向の力を加えることにより作動部５４が回動して可動側掴線部５３を押し上げて線状体Ｗを固定側掴線部５２との間で掴持する。線状体Ｗを掴持した状態の作動部５４の回動位置は、作動規制部５５のノブ６０を回転操作して当接キャップ５９を作動部５４に押圧させることで維持される。当接キャップ５９による作動部５４の押圧は、バネ座金７５を介してなされているので、振動などによって掴持力に変化が生じることを防止することができる。【選択図】  図１
2004242477.tif 000002
【特許請求の範囲】
【請求項１】
線状体の上部を収容する嵌合溝が形成された固定側掴線部が一体に形成された掴線器本体と、
前記掴線器本体に一端側で回動可能に取り付けられて他端側に一方向への作動力が与えられることにより回動する作動部と、
前記作動部の回動により前記固定側掴線部方向に移動して上面に形成された嵌合溝に線状体の下部を収容して固定側掴線部との間で線状体を掴持する可動側掴線部と、
前記固定側掴線部及び可動側掴線部の取り付け面側に進退移動操作可能に設けられて進出移動操作により先端が前記作動部に当接して作動部の他方向への回動を規制する作動規制部と、
を備えてなることを特徴とする掴線器。
【発明の詳細な説明】
【０００１】
【発明の属する技術分野】
本発明は、電線の振り分け工事などを行う際に電線を引っ張る装置に取り付けられて電線を掴持する用途に用いられる掴線器に関するものである。
【０００２】
【従来の技術】
例えば、電線の振り分け工事を行うに際しては、電線を引っ張って振り分け工事を行う部位に弛みを生じさせるために、伸縮自在の棒状本体の両端に掴線器を連結した張線装置が用いられる。張線装置は、両側の掴線器により電線を掴持させた後に、棒状本体の長さを縮小させて両端に連結した掴線器の間隔を縮めることにより、両側の掴線器によって掴持された間の電線を弛ませることができる。弛ませた電線は所要個所を切断して電線の振り分け工事を容易に行うことができる。このような電線を掴持もしくは把持する従来技術として、図５に示すような線状体把持器が知られている（特許文献１参照）。
【０００３】
図５（ａ）に示すように、固定側掴線部２を一体に備えた把持器本体１には、連結部材７に連結される引っ張り手段により一方向への作動力を付与される作動部材３が作動可能に取り付けられ、可動側掴線部４が前記作動部材３に対して、これの一方向への作動により前記固定側掴線部２に接近して固定側掴線部２と共に線状体Ｗを掴持すると共に、作動部材３の他方向への作動により固定側掴線部２から離隔するように配設されている。また、図５（ｂ）に示すように、作動部材３と把持器本体１との間に架け渡して作動規制部材８が設けられている。この作動規制部材８は、作動部材３に対して相対位置から一方向への作動を許容し、且つ他方向への作動を阻止するように規制する。また、作動規制部材８は作動部材３と把持器本体１とに対し相対位置を調整可能に取り付けられている。
【０００４】
この線状体把持器は、線状体Ｗを固定側掴線部２及び可動側掴線部４によって掴持し、線状体Ｗを引っ張った状態において、何らかの原因によって作動部材３を他方向に作動させるような衝撃が加わっても、作動規制部材８が作動部材３の他方向への作動を阻止するので、固定側掴線部２及び可動側掴線部４による線状体Ｗの掴持力が減少することがない。
【０００５】
また、線状体Ｗの固定側掴線部２及び可動側掴線部４によって掴持されている箇所が圧潰されて変形した場合、作動部材３は作動規制部材８により一方向への作動のみ許容されると同時に引っ張り手段により常に一方向への引っ張り力を付与されていることから、線状体Ｗの変形に追従して固定側掴線部２側に変位するので、線状体Ｗに対する掴持力は常に一定に保たれる。このとき作動規制部材８は作動部材３が作動した分だけ作動部材３及び把持器本体１に対する相対位置が変化するが、それを補正するように調整することができる。
【０００６】
【特許文献１】
特開平１０−２５５５４７号公報（第２〜４頁、図１）
【０００７】
【発明が解決しようとする課題】
上記従来技術に係る線状体把持器は、これを線状体Ｗに装着する作業を行うときには、作業者は固定側掴線部２と可動側掴線部４との間に線状体Ｗが挿通するように線状体把持器を配置し、固定側掴線部２に形成された嵌合溝３７に線状体Ｗの上部を嵌め込み、図５（ａ）に示すように、線状体把持器が線状体Ｗに吊り下げ状態となるように装着する作業を行う。次いで、連結部材７に張線装置等の引っ張り手段を連結する作業を行う。引っ張り手段により連結部材７が図示ｄ方向に引っ張られると、作動部材３は支軸１７を支点として回動して可動側掴線部４を押し上げるので、可動側掴線部４は固定側掴線部２側に移動して、その上面に形成された嵌合溝３８を線状体Ｗの下部に嵌め込み、図６（ａ）に示すように、固定側掴線部２との間で線状体Ｗを掴持する。ここまでの作業を行うためには、作業者は図５（ａ）、図６（ａ）に示す正面側から線状体把持器を操作することになる。
【０００８】
次に、固定側掴線部２と可動側掴線部４との間で線状体Ｗを掴持した状態を維持させるために、作業者は図６（ｂ）に示すような状態にある作動規制部材８を操作する。即ち、作業者はリング体２１により作動規制部材８をその雄ねじ部２０が作動部材３に回動可能に取り付けられた軸体２７の雌ねじ部２８に対し図示ｆ方向に螺進するように回転させ、作動規制部材８に設けられた鍔部２２が把持器本体１に回動可能に取り付けられている保持ブロック体２３に当接させる作業を行う。この作業は線状体把持器の裏面側にある作動規制部材８に対して行うので、作業者は正面側でそれまでの作業を実施していた場合に、前記鍔部２２が保持ブロック体２３に当接したか否かを確認することが困難であった。
【０００９】
また、線状体から線状体把持器を取り外す際にも、まず、連結部材７に対する引っ張り手段の連結を解除する作業を行い、次に、作動規制部材８を初期状態に戻す作業を行って可動側掴線部４による固定側掴線部２との間での線状体Ｗの掴持を解除し、その後に線状体把持器を線状体Ｗから取り外す作業を実施する。このときにも作動規制部材８の操作は困難である。
【００１０】
このように線状体Ｗに線状体把持器を取り付け、取り外す作業は正面側から行うのが確実であり、作動規制部材８を操作する作業は裏面側から行うのが確実であるため、いずれか一方の作業を優先すると、他方の作業が困難となる課題があった。
【００１１】
線状体把持器の線状体Ｗに対する取り付けは、架設された電線路に対して実施される高所作業であり、活線部分に触れる恐れもある危険作業でもあるので、地上では容易に行い得る動作、例えば作動規制部材８の操作進行状態を裏面側を覗き込むようにして確認する動作も容易に行うことはできない。従って、線状体把持器を線状体Ｗに装着して線状体Ｗを掴持させる作業と、作動規制部材８を操作する作業とは、同一方向から実施できるようにするのが望ましく、作業性及び安全性を向上させる上からも望まれている。
【００１２】
本発明が目的とするところは、線状体を掴持し、掴持状態を維持するための作業を作業性よく確実に行い得るようにした掴持器を提供することにある。
【００１３】
【課題を解決するための手段】
上記目的を達成するために本発明に係る掴線器は、線状体の上部を収容する嵌合溝が形成された固定側掴線部が一体に形成された掴線器本体と、前記固定側掴線部の形成面側に一端側で回動可能に取り付けられて他端側に一方向への作動力が与えられることにより回動する作動部と、前記作動部の回動により前記固定側掴線部方向に移動して上面に形成された嵌合溝に線状体の下部を収容して固定側掴線部との間で線状体を掴持する可動側掴線部と、前記固定側掴線部及び可動側掴線部の取り付け面側に進退移動操作可能に設けられて進出移動操作により先端で前記作動部に当接して作動部の他方向への回動を規制する作動規制部と、を備えてなることを特徴とする。
【００１４】
上記構成によれば、掴線器を線状体に取り付けるときには、固定側掴線部を線状体上に載せ、作動部に対して引っ張り手段等から一方向への作動力を与えると作動部は一方向に回動し、可動側掴線部を固定側掴線部側に移動させるので、固定側掴線部と可動側掴線部との間で線状体を掴持することができ、線状体を掴持した状態は作動規制部の進出移動操作により作動部の他方向への回動を規制することにより維持される。掴線器を取り外すときには、作動部に与えられた一方向への作動力を解除し、作動規制部を後退移動操作して作動部の他方向への回動を解除すると、作動部は他方向に回動して可動側掴線部による線状体の掴持が解除されるので、線状体から固定側掴線部を外して掴線器を取り外すことができる。この掴線器を線状体に取り付け作業及び取り外し作業を行うための固定側掴線部及び可動側掴線部、作動部、作動規制部は同一方向面側に配設されているので、掴線器を線状体に取り付け、取り外す作業を同一方向面側から行うことができる。掴線器を用いた作業は高所作業、危険作業となりがちであるが、同一方向面側からの操作により作業を容易且つ安全に実施することができる。
【００１５】
上記構成において、作動規制部は、その先端に進退移動可能に取り付けられた当接部と、この当接部を進出方向に付勢するバネ部材とを設けて構成すれば、掴線器の線状体への取り付け時に、先端が作動部に当接するように進出移動操作すると、当接部は作動部に当接した後に後退移動してバネ部材を圧縮する。このバネ部材が圧縮された状態が作動規制部により作動部の他方向への回動を規制した状態なので、作業者はバネ部材の圧縮状態を確認することにより作動規制部の操作を確認することができる。また、バネ部材を介して作動部の他方向への回動が規制されるので、掴線器に振動や衝撃が加わったときに作動部を他方向に回動させる力をバネ付勢による弾性によって吸収することができる。
【００１６】
【発明の実施の形態】
以下、添付図面を参照して本発明の実施の形態について説明し、本発明の理解に供する。尚、以下に示す実施の形態は本発明を具体化した一例であって、本発明の技術的範囲を限定するものではない。
【００１７】
図１〜図３は、本実施の形態に係る掴線器の全体構成を示すもので、仮想線で示す電線等の線状体Ｗを掴持できるように構成されている。この掴線器は、掴線器本体５１と、この掴線器本体５１と一体に形成されて線状体Ｗの上部を嵌合溝５２ａ内に収容して線状体Ｗを上部から保持する固定側掴線部５２と、固定側掴線部５２側に移動して線状体Ｗの下部を嵌合溝５３ａ内に収容して前記固定側掴線部５２との間で線状体Ｗを掴持する可動側掴線部５３と、掴線器本体５１に回動可能に取り付けられて一方向への回動により前記可動側掴線部５３を移動させる作動部５４と、この作動部５４の他方向への回動を規制する作動規制部５５とを主要構成要素として構成されている。
【００１８】
前記掴線器本体５１には、上記構成要素の他に、前記作動規制部５５を支持する支持板５６がネジ固定され、前記作動部５４に支軸６３で回動可能に軸支された連結部材５７を挿通させて保持するガイド部６１が設けられ、固定側掴線部５２の正面側に枢軸６２で回動可能に脱落防止カバー５８が取り付けられている。この脱落防止カバー５８は、操作穴６３に工具等を挿入して枢軸６２を支点として図示状態から下方に押圧することにより、ガイドピン６５が嵌挿するガイド穴６４の長さ分だけ回動させることができる。
【００１９】
また、前記作動部５４は、掴線器本体５１に設けられた台座６６上に支軸６７により一端部で回動自在に掴線器本体５１に取り付けられ、他端部に前記連結部材５７の一端を支軸６３で回動可能に支持している。また、支軸６７と隣り合う位置に取付ピン６８により回動可能に可動側掴線部５３が取り付けられている。この可動側掴線部５３は、図３（ｂ）に示すように、断面形状がコの字状に形成され、上面に線状体Ｗの下部を収容する嵌合溝５３ｂが固定側掴線部５２の下面に形成された嵌合溝５２ａと対向するように形成されている。この可動側掴線部５３の回動範囲は、作動部５４の回動により上面が固定側掴線部５２の下面と平行となる状態からずれるのを補正する程度の回動でよく、回動範囲は規制されている。
【００２０】
また、前記作動規制部５５は、掴線器本体５１に取り付けられた支持板５６にネジ穴７８が形成された基台６９がネジ固定され、ネジ穴７８に先端に当接キャップ（当接部）５９を設けたネジ軸７０を螺入して構成されている。前記ネジ軸７０は、その後端側に固定されたノブ６０を回転操作することによりネジ穴７８との螺合によって進退移動させることができる。図４に拡大図示するように、ネジ軸７０には、基台６９のネジ穴７８に螺合するネジ形成部７１と、このネジ形成部７１の後端側に前記ノブ６０を固定ピン７６を貫通させて固定するノブ固定部７２と、ネジ形成部７１の先端側に当接キャップ５９を進退移動可能に取り付けた当接キャップ装着部７３とが形成されている。
【００２１】
前記当接キャップ装着部７３は、先端部７３ａと基部７３ｃとの間に直径を小さく形成した小径部７３ｂが形成され、図４（ａ）に示すように、当接キャップ装填部７３に平座金７４、バネ座金（バネ部材）７５、当接キャップ５９の順に嵌め込み、当接キャップ５９の側周面対向位置から係止ピン７７を前記小径部７３ｂに向けて螺入することにより、当接キャップ５９はネジ軸７０の先端に装着される。尚、係止ピン７７の螺入は、当接キャップ５９が当接キャップ装着部７３上を小径部７３ｂの形成範囲内で進退移動できるように装着するためのもので、係止ピン７７の先端が小径部７３ｂの外周に近接する位置まで螺入される。
【００２２】
装着された当接キャップ５９は、図４（ａ）に示すように、バネ座金７５により先端側に付勢されるので、当接キャップ５９は係止ピン７７の先端が当接キャップ装着部７３の先端部７３ａに当接する位置まで進出移動した状態となる。後述するように掴線器で線状体Ｗを掴持した状態で、ノブ６０の回転操作によりネジ軸７０を進出移動させ、先端の当接キャップ５９を作動部５４の縁部に当接させた状態から更に進出移動させると、図４（ｂ）に示すように、当接キャップ５９は後退移動してバネ座金７５を圧縮した状態となる。
【００２３】
上記構成になる掴線器を線状体Ｗに取り付け、取り外す手順について以下に説明する。まず、作動規制部５５はノブ６０を回転させ、図２に示すように、ネジ軸７０を後退させた状態にして、作動部５４の他方向への回動を許容した状態とし、可動側掴線部５３が固定側掴線部５２から充分に離れた状態にして、固定側掴線部５２と可動側掴線部５３との間に線状体Ｗを通しやすくしておく。
【００２４】
図２に示すように、固定側掴線部５２と可動側掴線部５３との間を充分に離隔させた状態にした掴線器を線状体Ｗの所定部位に運び、固定側掴線部５２と可動側掴線部５３との間に線状体Ｗを挿通させ、固定側掴線部５２の下面に形成された嵌合溝５２ａに線状体Ｗの上部を収容して掴線器が線状体Ｗに吊り下げられた状態に装着する。次いで、脱落防止カバー５８の操作穴６３にドライバ等の工具を差し込んで脱落防止カバー５８を枢軸６２を支点として下方に回動させる。脱落防止カバー５８を下方に回動させると、固定側掴線部５２と可動側掴線部５３との間の正面側に開放された間隔部分に脱落防止カバー５８が被さり、線状体Ｗは固定側掴線部５２及び可動側掴線部５３で上下が囲まれ、脱落防止カバー５８及び掴線器本体５１で前後が囲まれるので、掴線器は以降の作業中に線状体Ｗから脱落することがない状態になる。
【００２５】
この掴線器の線状体Ｗへの取り付けを、電線の振り分け工事に適用する場合には、電線を両側から引き寄せる作用をなす張線装置の長さに対応する間隔で電線の２ヶ所にそれぞれ掴線器を取り付ける。前記張線装置の両端には連結部材５７に形成された連結穴７９を利用して掴線器に連結する連結手段が設けられている。張線装置は両端で両側の掴線器に連結した後、その長さを縮める操作がなされることにより、掴線器の連結部材５７には、図３に示すａ方向に引っ張る力が加わる。
【００２６】
連結部材５７が図示ａ方向に引っ張られると、連結部材５７の一端側が連結された作動部５４は支軸６７を支点として図示ｂ方向に回動する。この作動部５４の回動により可動側掴線部５３は固定側掴線部５２の方向に押し上げられ、嵌合溝５３ａに線状体Ｗの下部を収容して、図３に示すように、固定側掴線部５２との間で線状体Ｗを挟み込んで掴持する。張線装置により更にａ方向への引っ張り力が加えられると、掴線器によって掴持された線状体Ｗはａ方向に引かれるので、これが両側の掴線器が互いに引き寄せられるようになると、両側の掴線器の間にある線状体Ｗは弛みが生じた状態となり、振り分け工事を実施できる状態が得られる。
【００２７】
連結部材５７にａ方向の安定した引っ張り力が加わっている状態では、作動部５４により可動側掴線部５３は固定側掴線部５２との間で線状体Ｗを強力に掴持しているが、強い突風や電柱に何らかの衝撃が加わったような場合に、連結部材５７に加わる引っ張り力に変動が生じて可動側掴線部５３による掴持力が低下して掴線器による掴持位置にずれが生じることになる。このような状態を防止するために作動規制部５５が設けられており、連結部材５７に引っ張り力が加えられて可動側掴線部５３により線状体Ｗが掴持された後、ノブ６０を回転させてネジ軸７０を進出移動させ、先端の当接キャップ５９が作動部５４の縁部に当接してからもネジ形成部７１と当接キャップ５９との間に配設されたバネ座金７５が平らに圧縮されるようになる状態までノブ６０を回転させるてネジ軸７０を進出させる。
【００２８】
このネジ軸７０の進出移動は、図４（ｂ）に示すように、ノブ６０の回転によりネジ軸７０を進出移動させると、先端に設けられた当接キャップ５９が作動部５４に当接するが、更にノブ６０を回転させてネジ軸７０を進出させる。当接キャップ５９は図４（ａ）に示すように、バネ座金７５の付勢により先端側に進出移動しているが、当接キャップ５９が作動部５４に当接してからもバネ軸７０を進出させると、当接キャップ５９はバネ座金７５を圧縮させながら後退するので、バネ座金７５が平らになるまでネジ軸７０を進出させる。従って、作業者はバネ座金７５が平らに圧縮される状態を目安にノブ６０を回転させればよい。
【００２９】
上記のように掴線器の取り付け作業は、作業者が行うべき▲１▼線状体Ｗに掴線器を装着させる作業、▲２▼連結部材５７に張線装置等の引っ張り手段を連結する作業、▲３▼線状体Ｗを掴持した状態の作動部５４の位置を規制する作動規制部５５の調整作業、を全て正面側から実施することができるので、電線の振り分け工事など高所作業であり、危険作業でもある作業を容易且つ安全に行うことができる。
【００３０】
また、線状体Ｗに掴線器を取り付けた状態のままで振り分け工事等を後日行うことになる場合も少なくなく、このときには線状体Ｗに掴線器を取り付けたまま所要日数放置されることになる。この間に突風などの風の影響、あるいは電柱に自動車が衝突するなどの衝撃の影響で連結部材５７がａ方向と反対の方向に押し戻されるような力が作用し、可動側掴線部５３による線状体Ｗの掴持力を低下させるような方向の力が加わっても、作動部５４に作動規制部５５が当接しているため、可動側掴線部５３が固定側掴線部５２から離れる方向に力は作用せず、掴線器が線状体Ｗから外れることは防止される。
【００３１】
また、風の影響などによって連結部材５７に加わった振動により、作動部５４が図示ｂ方向に振動して可動側掴線部５３による線状体Ｗの掴持力に変化を生じさせるような作用が及んだ場合でも、作動規制部５５の当接キャップ５９はバネ座金７５の付勢により常に作動部５４を押圧しているので、バネ座金７５により振動が吸収され、可動側掴線部５３による線状体Ｗの掴持力に変化を生じさせない。
【００３２】
また、作動規制部５５を構成するネジ軸７０のように送りネジ機構を構成する場合、ネジ構造としてノブ６０の回転に対する送り量を大きく設定できる台形ネジが適用される。しかし、台形ネジはネジ山どうしの面圧が小さくなるため、振動によって緩みが生じやすくなる短所があるが、バネ座金７５によって送りネジ機構に伝わる振動が吸収され、送りネジ機構に緩みが発生しないため、作動規制部５５による作動部５４の位置規制が確実になされる。
【００３３】
また、上述したように掴線器によって線状体Ｗを掴持した状態が長く継続したとき、線状体Ｗが絶縁被覆電線であるような場合に、線状体Ｗは固定側掴線部５２と可動側掴線部５３との間で締め付けられる力によって直径が小さくなるように変形する場合がある。このような場合にも連結部材５７に図示ａ方向の引っ張り力が加わっていると、作動部５４は可動側掴線部５３を固定側掴線部５２側に変位させるので、線状体Ｗの直径変化にも追従して掴持力に変化を生じさせない。このように初期に固定した状態から作動部５４の回動角度に変化が生じた場合、作動規制部５５はバネ座金７５の付勢により当接キャップ５９を進出移動させて作動部５４に当接キャップ５９が当接した状態を維持する。この作動部５４の回動角度の変化はバネ座金７５の変化として目視で検出できるので、作業者はバネ座金７５に変化が生じているときは、ノブ６０を回転させてネジ軸７０を進出移動させ、バネ座金７５が平らになるように調整すると、放置後の変化を初期状態に戻すことができる。
【００３４】
線状体Ｗに取り付けた掴線器を取り外すときには、連結部材５７に連結された張線装置などによる連結状態を解除し、作動規制部５５のノブ６０を回転させてネジ軸７０を後退移動させて作動部５４に対する押圧を解除すると、可動側掴線部５３は線状体Ｗから離れるので、線状体Ｗの掴持を開放することができる。脱落防止カバー５８を上方に回動させると、図２に示す状態で線状体Ｗに掴線器を吊り下げた状態に戻すことができるので、線状体Ｗから掴線器を簡単に取り外すことができる。この掴線器の取り外し作業を行うときにも、▲１▼連結部材５７に連結された張線装置等を外す作業、▲２▼作動規制部５５による作動部５４の回動を規制を解除する作業、▲３▼脱落防止カバー５８を回動させる作業、▲４▼線状体Ｗから掴線器を取り外す作業、の全てを同一方向から実施できる。従って、高所作業、危険作業が伴う掴線器の取り扱いを容易且つ安全に実施することができる。
【００３５】
【発明の効果】
以上の説明の通り本発明の掴線器によれば、線状体への取り付け、取り外しを行うための作業の全てを同一方向から実施することができるので、高所作業や危険作業が伴う掴線器の取り扱いを容易且つ安全に行うことができる。
【図面の簡単な説明】
【図１】実施形態に係る掴線器の全体構成を示す斜視図。
【図２】線状体に装着できる状態にした掴線器の正面図。
【図３】掴線器を線状体に取り付けた状態を示す（ａ）は正面図、（ｂ）は側面図。
【図４】作動規制部の構成を示す（ａ）は断面図、（ｂ）は作動部の回動を規制した状態を示す部分断面図。
【図５】従来技術に係る線状体把持器の構成を示す（ａ）は正面図、（ｂ）は背面図。
【図６】同上線状体把持器を線状体に取り付けた状態を示す（ａ）は正面図、（ｂ）は背面図。
【符号の説明】
５１  掴線器本体
５２  固定側掴線部
５３  可動側掴線部
５４  作動部
５５  作動規制部
５９  当接キャップ
７５  バネ座金（バネ部材）
【図１】
2004242477.tif 000003
【図２】
2004242477.tif 000004
【図３】
2004242477.tif 000005
【図４】
2004242477.tif 000006
【図５】
2004242477.tif 000007
【図６】
2004242477.tif 000008